(57)【要約】【課題】ウェブブラウザが生成したウェブページ画像の内容に応じて表示装置の表示画質を適切に制御することができる情報処理装置および動画再生方法を提供する。【解決手段】本発明に係る情報処理装置は、ネットワーク１を介して外部のウェブサーバからウェブページの内容を取得可能に構成され、この取得したウェブページの画像を表示部に表示させる情報処理装置であって、動画を主たるコンテンツとするウェブサイトを保持するウェブサーバのアドレス情報をあらかじめ動画サイト情報記憶部３８に記憶しておき、ユーザがウェブブラウザを介してウェブページにアクセスする際に、ＰＣ用ＣＰＵ３１によって、アクセスされようとしているウェブページのアドレス情報とこの動画サイト情報記憶部３８に記憶されているアドレス情報とを比較し、簡単にウェブページの画像が動画を含むか否かを判定し、この判定結果にもとづいてＰＣ用表示部３５やＴＶ用表示部４５の表示画質設定を変更する。【選択図】  図２
2010008933.tif 000002
【特許請求の範囲】
【請求項１】
ネットワークを介して外部のウェブサーバからウェブページの内容を取得可能に構成され、この取得したウェブページの画像を表示部に表示させる情報処理装置であって、
前記ウェブページの内容を取得すべき旨の指示を受けると前記ウェブページのアドレス情報を取得するアドレス取得部と、
前記アドレス情報にもとづいて、必要に応じて前記表示部に対して表示画質設定を変更するよう指示する画質変更指示部と、
を備えたことを特徴とする情報処理装置。
【請求項２】
動画を含む前記ウェブページのアドレス情報を記憶した動画サイト情報記憶部、
をさらに備え、
前記画質変更指示部は、
前記アドレス取得部が取得した前記アドレス情報の主要部が前記動画サイト情報記憶部に記憶された前記アドレス情報の主要部と一致すると、前記表示部に対して前記表示画質設定を動画の表示に適した設定に変更するよう指示し、
前記主要部は、
各前記ウェブページを保持した前記ウェブサーバのアドレス情報である、
請求項１記載の情報処理装置。
【請求項３】
前記表示部は、前記表示部の前記表示画質設定を制御する表示制御部を有し、
前記表示制御部は、前記画質変更指示部から指示を受けて前記表示画質設定を動画の表示に適した設定に変更する、
請求項２記載の情報処理装置。
【請求項４】
前記情報処理装置から前記表示部に対して前記画質変更指示部からの指示を含む制御信号および前記ウェブページの画像情報を含む各種画像情報を送信するための外部接続端子、
をさらに備え、
前記表示部が前記外部接続端子を介して外部接続され、
前記表示部の前記表示制御部は、
前記外部接続端子を介して前記画質変更指示部からの指示および前記ウェブページの画像情報を受け、前記ウェブページの画像を表示する際の前記表示画質設定を動画の表示に適した設定に変更する、
請求項３記載の情報処理装置。
【請求項５】
前記表示部、
をさらに備え、
前記表示部が内部接続された、請求項３記載の情報処理装置。
【請求項６】
ユーザから前記ウェブページの情報を取得すべき旨の指示を受付ける入力手段、
をさらに備え、
前記アドレス取得部は、
前記ユーザにより前記入力手段を介して前記ウェブページのアドレス情報が入力されると、前記入力された前記ウェブページのアドレス情報を取得する、
請求項１ないし５のいずれか１項に記載の情報処理装置。
【請求項７】
動画を含むウェブページのアドレス情報のリストを作成するステップと、
ネットワークを介してウェブページの内容を取得すべき旨の指示を受けるステップと、
前記内容を取得すべき旨の指示があった前記ウェブページのアドレス情報を取得するステップと、
前記内容を取得すべき旨の指示があった前記ウェブページのアドレス情報と前記作成されたリストに含まれる前記ウェブページのアドレス情報とが一致すると、表示部の表示画質設定を変更するステップと、
を有することを特徴とする動画再生方法。
【請求項８】
前記表示部の表示画質設定を変更するステップは、
前記内容を取得すべき旨の指示があった前記ウェブページのアドレス情報と前記作成されたリストに含まれる前記ウェブページのアドレス情報とが一致すると、ＨＤＭＩ−ＣＥＣに準拠した制御信号を前記表示部に送信することにより前記表示部の表示画質設定を変更するステップである、
請求項７記載の動画再生方法。
【発明の詳細な説明】
【技術分野】
【０００１】
本発明は、画像を表示装置に表示させる際に画像の内容に応じて画質を制御する情報処理装置および動画再生方法に関する。
【背景技術】
【０００２】
従来、画像を表示装置に表示させる際に画像の内容に応じて画質を制御する技術に、特開２００１−２８２２２０号公報（特許文献１）に開示された技術がある。
【０００３】
この特許文献１に開示された自動画質調整装置は、入力された映像信号にもとづいて変化の少ない画像（文字中心の画像など）であるか変化の多い画像（動画など）であるかを判定する映像判定回路と、あらかじめ表示画質に関する設定値を保持し設定値により表示装置の表示画質を設定する映像調整回路と、を少なくとも備え、映像調整回路は、映像判定回路の判定信号にもとづいて設定値を読み出して表示装置の表示画質を設定するようになっている。
【０００４】
この自動画質調整装置によれば、入力された映像信号を変化の多い画像を含む信号であるか否かを判定し、映像信号に含まれる画像の内容に応じて表示装置の表示画質を自動的に調整できるようになっている。
【特許文献１】特開２００１−２８２２２０号公報
【発明の開示】
【発明が解決しようとする課題】
【０００５】
ところで、パーソナルコンピュータなどのネットワーク接続可能な情報処理装置は、ネットワーク接続されたウェブサーバが保持するウェブページを閲覧するウェブブラウザ機能を備えたものが多い。ユーザは、この種の情報処理装置により、動画を主たるコンテンツとするウェブサイトなどを利用することができる。また、テレビジョン受像装置（テレビ）などの表示装置には、この種の情報処理装置から画像信号を受ける外部入力端子を備えたものがある。
【０００６】
この種の情報処理装置および表示装置によれば、ユーザは、情報処理装置固有の表示装置（たとえば、情報処理装置がノートブック型パーソナルコンピュータ（ノートパソコン）である場合、ノートパソコン内蔵の液晶表示装置など）のほか、テレビ画面などでも動画を主たるコンテンツとするウェブサイトに属するウェブページの動画を視聴することができる。
【０００７】
しかし、従来の画像の内容に応じて画質を制御する技術は、ウェブブラウザが生成したウェブページ画像が表示される場合を考慮しておらず、単に入力される映像信号にもとづいて変化の多い画像を含む信号であるか否かを判定するようになっている。このため、従来の技術では、ウェブブラウザが生成したウェブページ画像の内容に応じて表示画質を設定することが難しい。
【０００８】
たとえば、従来の技術では、動画を主たるコンテンツとするウェブサイトに属するウェブページの画像を表示する場合でも、入力される映像信号にもとづいて変化の多い画像を含む信号であるか否かの判定を逐次行う必要があるため、この判定処理のもたつきにより表示画質の設定変更が動画の視聴開始に間に合わない場合がある。
【０００９】
本発明は、上述した事情を考慮してなされたもので、ウェブブラウザが生成したウェブページ画像の内容に応じて表示装置の表示画質を適切に制御することができる情報処理装置および動画再生方法を提供することを目的とする。
【課題を解決するための手段】
【００１０】
本発明に係る情報処理装置は、上述した課題を解決するために、ネットワークを介して外部のウェブサーバからウェブページの内容を取得可能に構成され、この取得したウェブページの画像を表示部に表示させる情報処理装置であって、前記ウェブページの内容を取得すべき旨の指示を受けると前記ウェブページのアドレス情報を取得するアドレス取得部と、前記アドレス情報にもとづいて、必要に応じて前記表示部に対して表示画質設定を変更するよう指示する画質変更指示部と、を備えたことを特徴とするものである。
【００１１】
また、本発明に係る動画再生方法は、上述した課題を解決するために、動画を含むウェブページのアドレス情報のリストを作成するステップと、ネットワークを介してウェブページの内容を取得すべき旨の指示を受けるステップと、前記内容を取得すべき旨の指示があった前記ウェブページのアドレス情報を取得するステップと、前記内容を取得すべき旨の指示があった前記ウェブページのアドレス情報と前記作成されたリストに含まれる前記ウェブページのアドレス情報とが一致すると、表示部の表示画質設定を変更するステップと、を有することを特徴とする方法である。
【発明の効果】
【００１２】
本発明に係る情報処理装置および動画再生方法によれば、ウェブブラウザが生成したウェブページ画像の内容に応じて表示装置の表示画質を適切に制御することができる。
【発明を実施するための最良の形態】
【００１３】
本発明に係る情報処理装置および動画再生方法の実施の形態について、添付図面を参照して説明する。
【００１４】
図１は、本発明に係る情報処理装置の一実施形態を示す概略的な全体構成図である。なお、以下の説明においては、ノートブック型のパーソナルコンピュータを情報処理装置の一例として示す。
【００１５】
情報処理装置１０は、コンピュータ本体１１およびディスプレイユニット１２を有する。
【００１６】
コンピュータ本体１１は、薄い箱型の筐体を有しており、この筐体の上面中央部には入力部３６としてのキーボード１３が設けられる。ディスプレイユニット１２には、液晶表示パネル（ＬＣＤ（Liquid Crystal Display）パネル、以下ＰＣ用ＬＣＤパネル１４という）１４が組み込まれている。ディスプレイユニット１２は、コンピュータ本体１１に対して、開閉軸１５を中心として矢印Ｘの方向に開閉自在となるように、連結部１６（ヒンジ）を介して連結される。
【００１７】
情報処理装置１０は、ＷＷＷ（World Wide Web）クライアント機能を有し、コンピュータネットワーク１を介して外部のウェブサーバ（ＷＷＷサーバ）を含む他の機器と通信可能に接続される。
【００１８】
また、情報処理装置１０は、ＨＤＭＩ（High-Definition Multimedia Interface）ケーブル１７を介してテレビジョン受像装置２０（ＴＶ）とデータ送受信可能に接続される。より具体的には、情報処理装置１０およびテレビジョン受像装置２０には、それぞれ外部接続端子としてのＨＤＭＩソケット１８および２１が設けられ、ＨＤＭＩソケット１８および２１にはＨＤＭＩケーブル１７の両端に設けられたＨＤＭＩ端子１９および２２がそれぞれ挿入される。
【００１９】
情報処理装置１０は、ＨＤＭＩケーブル１７を介してテレビジョン受像装置２０と接続されたことを検知すると、テレビジョン受像装置２０に対してＨＤＭＩケーブル１７を介してＰＣ用ＬＣＤパネル１４に表示される画像データと同様の画像データを送信するようになっている。また、情報処理装置１０は、テレビジョン受像装置２０に対してＨＤＭＩケーブル１７を介してＨＤＭＩ−ＣＥＣ（Consumer Electronics Control）にもとづく制御信号を送信することができる。
【００２０】
テレビジョン受像装置２０は、パネル筐体２３に組み込まれたＴＶ用ＬＣＤパネル２４を有する。
【００２１】
テレビジョン受像装置２０は、デジタル放送情報５に含まれる番組の映像をＴＶ用ＬＣＤパネル２４に表示する。また、テレビジョン受像装置２０は、情報処理装置１０からＨＤＭＩケーブル１７を介して画像データおよび画質設定の制御信号を受信し、制御信号に従ってＴＶ用ＬＣＤパネル２４の画質設定を変更するとともに、受信した画像データにもとづく画像をＴＶ用ＬＣＤパネル２４に表示する（図１参照）。
【００２２】
図２は、情報処理装置１０およびテレビジョン受像装置２０の内部構造の一例を示すブロック図である。
【００２３】
情報処理装置１０は、ＰＣ用ＣＰＵ３１、ＰＣ用ＲＡＭ３２、ＲＯＭ３３、ネットワーク接続部３４、ＰＣ用表示部３５およびＨＤＭＩソケット１８を有する。
【００２４】
ＰＣ用ＣＰＵ３１は、ＲＯＭ３３内に記憶されたプログラムに従って、情報処理装置１０の処理動作を制御する。ＰＣ用ＣＰＵ３１は、ＲＯＭ３３内に記憶されたウェブブラウザプログラム（以下、ウェブブラウザという）およびプログラムの実行のために必要なデータをＰＣ用ＲＡＭ３２へロードし、ウェブブラウザによる制御に従ってＷＷＷクライアント機能を実現し、ネットワーク１を介して外部のウェブサーバからウェブページの内容を取得し、ウェブページの画像を生成して、このウェブページの画像をＰＣ用ＬＣＤパネル１４に表示させる処理を実行する。
【００２５】
また、ＰＣ用ＣＰＵ３１は、ＲＯＭ３３内に記憶された動画サイト用画質設定プログラムおよびプログラムの実行のために必要なデータをＰＣ用ＲＡＭ３２へロードし、動画サイト用画質設定プログラムに従って、ウェブブラウザが生成したウェブページの画像について、このウェブページを保持しているウェブサーバのアドレス情報にもとづいて必要に応じてＰＣ用表示部３５やＴＶ用表示部４５に対してこの画像を表示すべき表示画質設定を変更するよう指示する処理を実行する。
【００２６】
なお、動画サイト用画質設定プログラムは、ウェブブラウザのプラグインとして実装されてもよいし、ウェブブラウザプログラムに内包されて専用のウェブブラウザプログラムを構成するように実装されてもよいし、ウェブブラウザとは独立したプログラム（外部ツール）としてウェブブラウザを監視可能に実装されてもよい。
【００２７】
ＰＣ用ＲＡＭ３２は、ＰＣ用ＣＰＵ３１が実行するプログラムおよびデータを一時的に格納するワークエリアを提供する。
【００２８】
ＲＯＭ３３は、情報処理装置１０の起動プログラム、ウェブブラウザ、動画サイト用画質設定プログラムや、これらのプログラムを実行するために必要な各種データを記憶する。
【００２９】
なお、ＲＯＭ３３は、磁気的もしくは光学的記録媒体または半導体メモリなどの、ＰＣ用ＣＰＵ３１により読み取り可能な記録媒体を含んだ構成を有し、ＲＯＭ３３内のプログラムおよびデータの一部または全部は電子ネットワーク１を介してダウンロードされるように構成してもよい。
【００３０】
ネットワーク接続部３４は、ネットワーク１の形態に応じた種々の情報通信用プロトコルを実装する。ネットワーク接続部３４は、この各種プロトコルに従って情報処理装置１０と他の電気機器とを接続する。たとえば、ネットワーク接続部３４は、ＴＣＰ／ＩＰプロトコルに従って情報処理装置１０とウェブサーバとを接続する。この接続には、コンピュータネットワーク１を介した接続などを適用することができる。ここでコンピュータネットワーク１とは、電気通信技術を利用した情報通信網全般を意味し、ＬＡＮ（Local Area Network）やインターネット網のほか、電話通信回線網、光ファイバ通信ネットワーク、ケーブル通信ネットワークおよび衛星通信ネットワークなどを含む。
【００３１】
ＰＣ用表示部３５は、ＰＣ用ＬＣＤパネル１４と、ＰＣ用ＣＰＵ３１により制御されて少なくともＰＣ用ＬＣＤパネル１４の表示画質設定を制御するＰＣ用表示制御部３７とを有する。
【００３２】
入力部３６は、キーボード１３のほか、マウス、テンキー、タッチパネルなどの一般的な入力装置により構成することができ、ユーザの操作に対応した操作入力信号をＰＣ用ＣＰＵ３１に出力する。
【００３３】
動画サイト情報記憶部３８は、動画を主たるコンテンツとするウェブサイト（ウェブページの集まり）を保持するウェブサーバのアドレス情報を記憶している。ここで、アドレス情報とは、ＵＲＬ（Uniform Resource Locator）またはＩＰ（Internet Protocol）アドレスをいうものとする。以下の説明では、アドレス情報がＵＲＬである場合について示す。
【００３４】
なお、動画サイト情報記憶部３８に記憶されるウェブサーバのＵＲＬは、初期設定時にあらかじめ記憶されたもののほか、ネットワーク１を介して受信した動画を主たるコンテンツとするウェブサイトを保持するウェブサーバのＵＲＬを記憶してもよいし、ユーザにより入力手段を介して入力されたＵＲＬを記憶してもよいし、ウェブサーバのＵＲＬではなく個々のウェブページのＵＲＬを記憶してもよい。
【００３５】
また、動画サイト情報記憶部３８に記憶されるＵＲＬの文字列パターンは、ワイルドカードや正規表現などで表現されてもよい。以下の説明では、動画サイト情報記憶部３８には、ウェブページのＵＲＬの主要部としてのこのウェブページを保持するウェブサーバのＵＲＬが記憶される場合の例について説明する。たとえば、ウェブページのＵＲＬが「http://hoge.com/dir1/dir2/page」である場合、動画サイト情報記憶部３８には、このウェブページを保持するウェブサーバのＵＲＬ（ウェブページのＵＲＬの主要部）である「http://hoge.com」を記憶させておく。
【００３６】
図３は、図２に示すＰＣ用ＣＰＵ３１による機能実現部の構成例を示す概略的なブロック図である。なお、この機能実現部は、ＰＣ用ＣＰＵ３１を用いることなく回路などのハードウエアロジックによって構成してもよい。
【００３７】
ＰＣ用ＣＰＵ３１は、動画サイト用画質設定プログラムによって、少なくとも表示指示受付部５１、アドレス取得部５２、動画サイト判定部５３、および画質変更指示部５４として機能する。この各部５１〜５４は、ＲＡＭの所要のワークエリアを、データの一時的な格納場所として利用する。
【００３８】
表示指示受付部５１は、ウェブページの内容を取得すべき旨の指示を受け付ける。
【００３９】
ウェブページの内容を取得すべき旨の指示（ウェブページアクセス指示）は、たとえば、ウェブブラウザが生成した画像に設けられるＵＲＬ入力欄６２（図１参照）に対して、ユーザにより入力部３６を介して直接ＵＲＬを入力されることにより受け付けられる。他にも、ウェブブラウザがいわゆる「お気に入り（ブックマーク）」機能を有する場合は、お気に入りに登録されたページを選択することによって受け付けてもよいし、既にウェブブラウザが生成した画像中に存在するリンクがクリックされて受け付けてもよいし、ウェブブラウザの起動時に表示されるウェブページ（いわゆるホームページ、スタートアップページ）が設定されている場合はウェブブラウザが起動されることによって受け付けてもよい。
【００４０】
以下の説明では、ＵＲＬ入力欄６２（図１参照）に対して、ユーザにより入力部３６を介して直接ＵＲＬを入力されることにより、ウェブページの内容を取得すべき旨の指示があったとする場合の例について示す。
【００４１】
アドレス取得部５２は、ＵＲＬ入力欄６２に入力されたＵＲＬを抽出することにより、内容を取得すべき旨の指示があったウェブページのＵＲＬを取得する。お気に入りに登録されたウェブページが選択され、またはリンクがクリックされ、またはウェブブラウザが起動されることによってウェブページアクセス指示が受け付けられた場合は、これらのウェブページに関連付けられているＵＲＬを取得すればよい。また、実際にウェブページアクセスが行われる際にネットワーク接続部３４から送信されるウェブサーバに対するアクセス要求信号からＵＲＬを抽出してもよい。
【００４２】
動画サイト判定部５３は、アドレス取得部５２が取得したＵＲＬの主要部と動画サイト情報記憶部３８に記憶されたＵＲＬとを比較し、一致するかどうかを判定する。
【００４３】
画質変更指示部５４は、ＨＤＭＩケーブル１７を介してＴＶ用表示部４５に対し、表示画質設定を動画に適した設定とするよう指示する。なお、ＴＶ用表示部４５が、放送番組などの動画に適した画質設定に加えて動画を主たるコンテンツとするウェブサイトに属するウェブページに適した画質設定を備える場合は、このウェブページに適した画質設定に変更するよう指示するとよい。
【００４４】
テレビジョン受像装置２０は、ＴＶ用ＣＰＵ４１、ＴＶ用ＲＡＭ４２、ＨＤＤ４３、放送信号処理部４４、ＴＶ用表示部４５、音声出力部４６およびＨＤＭＩソケット２１を有する。
【００４５】
ＴＶ用ＣＰＵ４１は、ＨＤＤ４３内に記憶されたプログラムに従ってテレビジョン受像装置２０の各種処理動作を制御する。ＴＶ用ＲＡＭ４２は、ＴＶ用ＣＰＵ４１が実行するプログラムおよびデータを一時的に格納するワークエリアを提供する。
【００４６】
不揮発性の記憶装置としてのＨＤＤ４３は、少なくともテレビジョン受像装置２０のオペレーティングシステムを記憶しておくほか、ＴＶ用ＣＰＵ４１に制御されてデジタル放送情報５に含まれる番組情報などを記憶する。
【００４７】
放送信号処理部４４は、デジタルチューナやＭＰＥＧ−２デコーダなどを有し、デジタル放送情報５を受信して、このデジタル放送情報５に含まれる番組の映像データ、音声データおよびその他のデータ（ＰＳＩ／ＳＩデータなど）を分離する。そして、放送信号処理部４４は、映像データをＴＶ用表示部４５に与えてデジタル放送情報５に含まれる映像をＴＶ用表示部４５を介して出力させ、音声データを音声出力部４６（スピーカ）に与えてデジタル放送情報５に含まれる音声を音声出力部４６を介して出力させ、その他のデータをＴＶ用ＣＰＵ４１に与えてその他のデータに含まれる番組情報などの情報をＨＤＤ４３に記憶させる。
【００４８】
ＴＶ用表示部４５は、ＴＶ用ＬＣＤパネル２４と、ＴＶ用ＣＰＵ４１およびＰＣ用ＣＰＵ３１により制御されて少なくともＴＶ用ＬＣＤパネル２４の表示画質設定を制御するＴＶ用表示制御部４７と、高画質化回路４８とを有する。
【００４９】
ＴＶ用ＬＣＤパネル２４は、デジタル放送情報５に含まれる番組の映像をＴＶ用ＬＣＤパネル２４に表示する。また、ＴＶ用ＬＣＤパネル２４は、ＴＶ用表示制御部４７が設定する画質で、情報処理装置１０からＨＤＭＩケーブル１７を介して受信した画像データにもとづく画像を表示する。
【００５０】
ＴＶ用表示制御部４７は、ＨＤＭＩケーブル１７を介して情報処理装置１０と接続されたことを検知すると、ＴＶ用ＬＣＤパネル２４の表示画角を放送番組に適したオーバースキャンからパーソナルコンピュータの画像に適したジャストスキャンに変更する。
【００５１】
また、ＴＶ用表示制御部４７は、ＨＤＭＩケーブル１７を介して情報処理装置１０と接続されたことを検知すると、画質設定をパーソナルコンピュータの画像に適した設定に変更する。より具体的には、パーソナルコンピュータの画像は一般に静止画像が多いため、ＴＶ用表示制御部４７は、高画質化回路４８をＯＦＦにして、情報処理装置１０のＰＣ用表示制御装置によって画像に施されたカラーマッチングを生かすようにする。
【００５２】
高画質化回路４８は、動画をより美しく表現するための回路である。放送番組に含まれる画像は一般に動画が多いため、ＴＶ用ＬＣＤパネル２４に放送番組を表示する際には、ＴＶ用表示制御部４７によりこの高画質化回路４８がＯＮとなり、高画質化回路４８を利用して画像の高画質化が図られる。
【００５３】
次に、本実施形態に係る情報処理装置１０の動作の一例について説明する。
【００５４】
テレビジョン受像装置２０は、高画質化回路４８を備えており、情報処理装置１０に比べて動画をより美しく表示することができる。このため、情報処理装置１０からテレビジョン受像装置２０に送信される画像が動画を含む場合には、ＴＶ用表示部４５の画質設定を動画に適した設定に変更するとよい。このとき、高画質化回路４８をＯＮにすれば、ユーザは、ＰＣ用ＬＣＤパネル１４で鑑賞するよりも美しい画質で動画を鑑賞することができる。
【００５５】
また、ＰＣ用ＬＣＤパネル１４に直接画像を表示させる際にも、ＰＣ用表示部３５が動画に適した設定を有する場合には、ＰＣ用表示部３５の画質設定を動画に適した設定に変更することが好ましい。
【００５６】
そこで、従来、テレビジョン受像装置２０に入力される画像に動画が含まれるか否かを判定し、ＰＣ用表示部３５やＴＶ用表示部４５の画質設定を自動的に動画に適した設定に変更可能とする種々の技術が提案されている。
【００５７】
しかし、従来の画像の内容に応じて画質を制御する技術は、ウェブブラウザが生成したウェブページの画像が表示される場合を考慮しておらず、単に入力される映像信号にもとづいて変化の多い画像を含む信号であるか否かを判定するようになっている。このため、従来の技術では、ウェブページの画像の内容に応じて表示画質を設定することが難しい。
【００５８】
たとえば、ウェブページに含まれうる変化の多い画像には、ベクタ形式で表現された画像（図形）により構成された動画（以下、ベクタ動画という）がある。ベクタ動画は、パーソナルコンピュータの一般的な表示画質の設定に対して最適化された動画である。しかし、従来の技術は、入力される映像信号にもとづいて変化の多い画像を含む信号であるか否かを判定するため、ベクタ動画は変化の多い画像と判定されてしまい、ＰＣ用表示部３５やＴＶ用表示部４５の画質設定は変化の多い画像に適した設定に変更されてしまう。
【００５９】
また、従来の技術では、周辺部など一部に小さな動画広告を含むウェブページの画像が表示部に表示される場合、変化の多い画像であるか否かを区別することが難しい。この場合、ウェブページの表示中にたびたび画質の設定が変更されてしまうなどの誤動作をしてしまう場合がある。
【００６０】
さらに、従来の技術では、動画を主たるコンテンツとするウェブサイトに属するウェブページの画像を表示する場合でも問題がある。動画を主たるコンテンツとするウェブサイトに属するウェブページにユーザがアクセスする場合は、ユーザは動画の視聴を目的とすることが容易に想定できる。このため、この種のウェブページを表示する場合は、ＰＣ用表示部３５やＴＶ用表示部４５の表示画質は当然、動画に適した設定に変更されるべきである。にもかかわらず、従来の技術では、逐次入力される映像信号にもとづく判定を行う必要がため、この判定処理に時間を要してしまい、この判定処理のもたつきにより表示画質の設定変更が動画の視聴開始に間に合わない場合がある。
【００６１】
そこで、本実施形態に係る情報処理装置１０では、動画を主たるコンテンツとするウェブサイトを保持するウェブサーバのアドレス情報をあらかじめ動画サイト情報記憶部３８に記憶しておき、ユーザがウェブブラウザを介してウェブページにアクセスする際に、アクセスされようとしているウェブページのアドレス情報とこの動画サイト情報記憶部３８に記憶されているアドレス情報とを比較することにより、簡単にウェブページの画像が動画を含むか否かを判定し、この判定結果にもとづいてＰＣ用表示部３５やＴＶ用表示部４５の表示画質設定を変更するようにする。
【００６２】
まず、ＴＶ用表示部４５の表示画質設定について、ウェブページのアドレス情報にもとづいて必要に応じて変更する際の手順について説明する。
【００６３】
図４は、図２に示す情報処理装置１０のＰＣ用ＣＰＵ３１により、ウェブブラウザにより生成されるウェブページの画像について、このウェブページを保持しているウェブサーバのアドレス情報にもとづいて必要に応じてＴＶ用表示部４５に対して表示画質設定を変更するよう指示する処理が実行される際の手順を示すフローチャートである。図４において、Ｓに数字を付した符号は、フローチャートの各ステップを示す。
【００６４】
この手順は、ウェブブラウザが起動してスタートとなる。
【００６５】
なお、あらかじめ情報処理装置１０とテレビジョン受像装置２０とがＨＤＭＩケーブル１７を介して接続され、ＴＶ用表示部４５の画質設定がパーソナルコンピュータの一般的な画像（デスクトップ画像などの静止画像）に適した設定とされ、ＴＶ用ＬＣＤパネル２４の表示画角がジャストスキャンに設定されているものとする。
【００６６】
また、あらかじめ動画サイト情報記憶部３８に動画を主たるコンテンツとするウェブサイトを保持するウェブサーバのアドレス情報をさせておく。
【００６７】
ＨＤＭＩケーブル１７を介して情報処理装置１０と接続されたテレビジョン受像装置２０は、情報処理装置１０から送られた画像を表示することができる。情報処理装置１０のウェブブラウザが起動されると、テレビジョン受像装置２０はウェブブラウザにより生成される画像（ウェブブラウザ生成画像６０）を含む画像を受け、この画像を図１に示したようにＴＶ用ＬＣＤパネル２４に表示させる。ウェブブラウザ生成画像６０には、ウェブページのタイトル画像６１と、ＵＲＬ入力欄６２と、ウェブページの画像を表示するためのウェブページ表示領域６３とが含まれる。なお、図１においてＴＶ用ＬＣＤパネル２４の左上に描かれた四角はデスクトップ上のアイコン６４を示す。
【００６８】
まず、ステップＳ１において、表示指示受付部５１は、ＵＲＬ入力欄６２（図１参照）に対して、ユーザにより入力部３６を介して直接ＵＲＬを入力されたことをもって、ウェブページの内容を取得すべき旨の指示を受け付ける。
【００６９】
次に、ステップＳ２において、アドレス取得部５２は、ＵＲＬ入力欄６２に入力されたＵＲＬを抽出することにより、内容を取得すべき旨の指示があったウェブページのＵＲＬを取得する。
【００７０】
次に、ステップＳ３において、動画サイト判定部５３は、アドレス取得部５２が取得したＵＲＬの主要部と動画サイト情報記憶部３８に記憶されたＵＲＬとを比較し、一致するかどうかを判定する。一致する場合は、内容を取得すべき旨の指示を受けたウェブページが動画サイトに属するウェブページであると判定し、ステップＳ４に進む。一方、一致しない場合は、一連の手順は終了となる。
【００７１】
次に、ステップＳ４において、画質変更指示部５４は、ＨＤＭＩケーブル１７を介してＴＶ用表示部４５に対し、表示画質設定を動画に適した設定とするよう指示する制御信号を送信するとともに、高画質化回路４８をＯＮにするよう指示する制御信号を送信する。なお、ＴＶ用表示部４５が、放送番組などの動画に適した画質設定に加えて動画を主たるコンテンツとするウェブサイトに属するウェブページに適した画質設定を備える場合は、このウェブページに適した画質設定に変更するよう指示する制御信号を送信する。
【００７２】
次に、ステップＳ５において、ＴＶ用表示制御部４７は、画質変更指示部５４から受けた指示に従って高画質化回路４８をＯＮにしてＴＶ用ＬＣＤパネル２４の表示画質設定を動画に適した設定に変更する。
【００７３】
以上の手順によって、ユーザがウェブブラウザを介してウェブページにアクセスする際に、アクセスされようとしているウェブページのアドレス情報にもとづいてウェブページの画像が動画を含むか否かを判定し、この判定結果にもとづいて、極めて容易に必要に応じてＴＶ用表示部４５の表示画質設定を変更することができる。
【００７４】
続いて、ＰＣ用表示部３５の表示画質設定について、ウェブページのアドレス情報にもとづいて必要に応じて変更する際の手順について説明する。
【００７５】
図５は、ＰＣ用表示部３５の表示画質設定について、ウェブページのアドレス情報にもとづいて必要に応じて変更する様子を説明するための情報処理装置１０の斜視図である。図５には、情報処理装置１０とテレビジョン受像装置２０が接続されず、ウェブブラウザ生成画像６０を含む画像がＰＣ用ＬＣＤパネル１４のみに直接表示される場合の例について示した。
【００７６】
図５に示すようにウェブブラウザ生成画像６０を情報処理装置１０内蔵のＰＣ用ＬＣＤパネル１４に直接表示させる際にも、ウェブブラウザ生成画像６０が動画を主たるコンテンツとするウェブサイトに属するウェブページの画像である場合には、ＰＣ用表示部３５の画質設定を動画に適した設定に変更することが好ましい。
【００７７】
図６は、図２に示す情報処理装置１０のＰＣ用ＣＰＵ３１により、ウェブブラウザにより生成されるウェブページの画像について、このウェブページを保持しているウェブサーバのアドレス情報にもとづいて必要に応じてＰＣ用表示部３５に対して表示画質設定を変更するよう指示する処理が実行される際の手順を示すフローチャートである。図６において、Ｓに数字を付した符号は、フローチャートの各ステップを示す。図４と同等のステップには同一符号を付し、重複する説明を省略する。
【００７８】
ステップＳ１１において、画質変更指示部５４は、内部接続されているＰＣ用表示部３５に対して、表示画質設定を動画に適した設定とするよう指示するなお、ＰＣ用表示部３５が、放送番組などの動画に適した画質設定に加えて動画を主たるコンテンツとするウェブサイトに属するウェブページに適した画質設定を備える場合は、このウェブページに適した画質設定に変更するよう指示する。
【００７９】
次に、ステップＳ１２において、ＰＣ用表示制御部３７は、画質変更指示部５４から受けた指示に従ってＰＣ用ＬＣＤパネル１４の表示画質設定を動画に適した設定に変更する。
【００８０】
以上の手順によって、ユーザがウェブブラウザを介してウェブページにアクセスする際に、アクセスされようとしているウェブページのアドレス情報にもとづいてウェブページの画像が動画を含むか否かを判定し、この判定結果にもとづいて、情報処理装置１０に内蔵されたＰＣ用表示部３５の表示画質設定を極めて容易に必要に応じて変更することができる。
【００８１】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【００８２】
また、本発明は、本実施形態で説明したノートブック型のパーソナルコンピュータのほかにも、ウェブブラウザ機能を有し表示部を内蔵する様々な情報処理装置に適用可能であり、たとえばＰＤＡ（Personal Digital Assistant）、携帯型ゲーム機、携帯型音楽再生機、携帯型動画再生機などに適用することが可能である。
【図面の簡単な説明】
【００８３】
【図１】本発明に係る情報処理装置の一実施形態を示す概略的な全体構成図。
【図２】情報処理装置およびテレビジョン受像装置の内部構造の一例を示すブロック図。
【図３】図２に示すＰＣ用ＣＰＵによる機能実現部の構成例を示す概略的なブロック図。
【図４】図２に示すＰＣ用ＣＰＵにより、ウェブブラウザにより生成されるウェブページの画像について、このウェブページを保持しているウェブサーバのアドレス情報にもとづいて必要に応じてＴＶ用表示部に対して表示画質設定を変更するよう指示する処理が実行される際の手順を示すフローチャート。
【図５】ＰＣ用表示部の表示画質設定について、ウェブページのアドレス情報にもとづいて必要に応じて変更する様子を説明するための情報処理装置の斜視図。
【図６】図２に示す情報処理装置のＰＣ用ＣＰＵにより、ウェブブラウザにより生成されるウェブページの画像について、このウェブページを保持しているウェブサーバのアドレス情報にもとづいて必要に応じてＰＣ用表示部に対して表示画質設定を変更するよう指示する処理が実行される際の手順を示すフローチャート。
【符号の説明】
【００８４】
１  ネットワーク
５  デジタル放送情報
１０  情報処理装置
１１  コンピュータ本体
１２  ディスプレイユニット
１３  キーボード
１４  ＰＣ用ＬＣＤパネル
１５  開閉軸
１６  連結部
１７  ＨＤＭＩケーブル
１８  ＨＤＭＩソケット
１９  ＨＤＭＩ端子
２０  テレビジョン受像装置
２１  ＨＤＭＩソケット
２２  ＨＤＭＩ端子
２３  パネル筐体
２４  ＴＶ用ＬＣＤパネル
３１  ＰＣ用ＣＰＵ
３２  ＰＣ用ＲＡＭ
３３  ＲＯＭ
３４  ネットワーク接続部
３５  ＰＣ用表示部
３６  入力部
３７  ＰＣ用表示制御部
３８  動画サイト情報記憶部
４１  ＴＶ用ＣＰＵ
４２  ＴＶ用ＲＡＭ
４３  ＨＤＤ
４４  放送信号処理部
４５  ＴＶ用表示部
４６  音声出力部
４７  ＴＶ用表示制御部
４８  高画質化回路
５１  表示指示受付部
５２  アドレス取得部
５３  動画サイト判定部
５４  画質変更指示部
６０  ウェブブラウザ生成画像
６１  タイトル画像
６２  ＵＲＬ入力欄
６３  ウェブページ表示領域
６４  アイコン
【図１】
2010008933.tif 000003
【図２】
2010008933.tif 000004
【図３】
2010008933.tif 000005
【図４】
2010008933.tif 000006
【図５】
2010008933.tif 000007
【図６】
2010008933.tif 000008